(57)【要約】      （修正有）【課題】インターホンの操作音声メッセージを居住者の嗜好に応じて変え、インターホン操作の快適性を向上させ、居住者にインターホン使用の楽しみを与えるインターホンを提供する。【解決手段】居室親機へ操作音声メッセージを定期的に配信するためのサーバを有するとともに、データベースには、男声と女声の操作音声メッセージを備え、居室親機には、男声か女声どちらの操作音声メッセージを再生するかの選択を行う機能を備えるとともに、ランダム再生を希望しない場合には固定音声も選択可能としたことで、外出時、帰宅時に音声鳴動のためだけの特別な操作を行なうことなく、ランダムなメッセージが鳴動する機能を有するとともに、ランダム再生を希望しない場合には固定音声も選択可能とした。【選択図】図１
2013179460.tif 000002
【特許請求の範囲】
【請求項１】
来訪者が呼出を行うための玄関子機（１）と、呼出を受けて前記玄関子機と通話を開始する居室親機（２）から構成されるインターホン装置であって、
前記居室親機の操作トリガにより、前記居室親機で流れる操作音声メッセージが保存されたサーバを有し、
前記居室親機には、前記操作音声メッセージを保存するメモリと、
操作トリガにより再生される前記操作音声メッセージを設定する親機操作部（２０）と、
前記サーバと通信するための通信ＩＦ（２３）と、
前記玄関子機からの音声を再生するとともに前記操作音声メッセージを再生する親機スピーカ（２２）とを備え、
前記サーバには、前記居室親機に前記操作音声メッセージを配信するためのＣＰＵ（３１）と、
前記居室親機と通信するための通信ＩＦ（３０）と、
前記操作音声メッセージが保存されたデータベース（３２）を備えたことを特徴とするインターホン装置。
【請求項２】
前記データベースには、前記操作音声メッセージとして男声と女声のメッセージをそれぞれ備えるとともに、前記メッセージには男声、女声の音声の性別を識別情報として付与し、
前記居室親機には、前記親機操作部で、固定されたメッセージの再生、男声のメッセージからランダムに再生、あるいは女声のメッセージからランダムに再生のいずれかの前記操作音声メッセージを再生するかの選択を行うメッセージ選択部（２０３）を備え、前記ＣＰＵは、操作トリガにより前記メモリ内から前記選択された男声か女声いずれかの中からランダムに、あるいは選択された固定音声を前記操作音声メッセージとして再生することを特徴とする請求項１記載のインターホン装置。
【請求項３】
前記サーバには、定期的に前記居室親機へ前記操作音声メッセージと前記識別情報を配信する機能を備え、
前記居室親機には、前記サーバから配信された前記操作音声メッセージと前記識別情報を前記メモリへ保存する機能を備えたことを特徴とする請求項２記載のインターホン装置。
【請求項４】
前記居室親機には、前記サーバから取得した前記操作音声メッセージが前記親機操作部により選択されている状態で、操作トリガが入った際に、前記操作音声メッセージを前記サーバから取得して再生する機能を備えたことを特徴とする請求項１乃至請求項３何れか１項記載のインターホン装置。
【請求項５】
操作トリガとして、不在ボタン等の外出時に操作するボタンを備えたことを特徴とする請求項１乃至請求項４何れか１項記載のインターホン装置。
【請求項６】
操作トリガとして、在室ボタン等の帰宅時に操作するボタンを備えたことを特徴とする請求項１乃至請求項４何れか１項記載のインターホン装置。
【請求項７】
操作トリガとして、解錠ボタン等の解錠時に操作するボタンを備えるとともに、前記玄関子機には、前記居室親機からの音声を再生するとともに前記操作音声メッセージを再生する子機スピーカ（１２）を備えたことを特徴とする請求項１乃至請求項４何れか１項記載のインターホン装置。
【発明の詳細な説明】
【技術分野】
【０００１】
本発明はインターホン装置に係り、特に、インターホンの操作音声メッセージを居住者の嗜好に応じて変えることで、インターホン操作の快適性を向上することができるインターホン装置に関する。
【背景技術】
【０００２】
従来のインターホン装置は、ロビーインターホンからの呼出の際に、居室親機のスピーカからの呼出メッセージを選択してダウンロードできるものがあった。
【先行技術文献】
【特許文献】
【０００３】
【特許文献１】特開２００２−２５２７１０号公報
【発明の概要】
【発明が解決しようとする課題】
【０００４】
しかしながら、従来例のインターホン装置において、呼出メッセージは予め居住者が選択する必要があり、インターホンの呼出メッセージを変化させることができないという問題があった。さらに、当該インターホン装置において、メッセージは来客時のみしか鳴動しないことから、居住者はメッセージを聞く機会がランダムかつ低頻度にしか発生せず、メッセージの選択を活用することは少なかった。
【０００５】
本発明は、上記難点を解決するためになされたものであって、居室親機へ操作音声メッセージを定期的に配信するためのサーバを有するとともに、外出時、帰宅時に音声鳴動のためだけの特別な操作を行なうことなくメッセージが鳴動することによって、居住者に、インターホンを使用する楽しみを与えることができるインターホン装置を提供することを目的とする。
【課題を解決するための手段】
【０００６】
本発明は上記課題を解決するためになされるものであって、本発明の第１の態様であるインターホン装置は、来訪者が呼出を行うための玄関子機と、呼出を受けて玄関子機と通話を開始する居室親機から構成されるインターホン装置であって、玄関子機または居室親機の操作トリガにより、居室親機で流れる操作音声メッセージが保存されたサーバを有し、居室親機には、操作音声メッセージを保存するメモリと、操作トリガによる再生対象の操作音声メッセージを設定する親機操作部と、サーバと通信するための通信ＩＦと、玄関子機からの音声を再生するとともに操作音声メッセージを再生する親機スピーカとを備え、サーバには、居室親機に操作音声メッセージを配信するためのＣＰＵと、居室親機と通信するための通信ＩＦと、操作音声メッセージが保存されたデータベースを備えたことを特徴とする。
【０００７】
また、本発明の第２の態様であるインターホン装置は、データベースには、男声と女声の操作音声メッセージを備え、居室親機には、親機操作部で、男声か女声どちらの操作音声メッセージを再生するかの選択を行う機能を備えるとともに、ランダム再生を希望しない場合には固定音声も選択可能としたことを特徴とする。
【０００８】
また、本発明の第３の態様であるインターホン装置は、サーバには、定期的に居室親機へ操作音声メッセージを配信する機能を備え、居室親機には、サーバから配信された操作音声メッセージをメモリへ保存する機能を備えたことを特徴とする。
【０００９】
また、本発明の第４の態様であるインターホン装置は、居室親機には、親機操作部で、サーバから取得した操作音声メッセージが選択されている状態で、操作トリガが入った際に、操作音声メッセージをサーバから取得して再生する機能を備えたことを特徴とする。
【００１０】
また、本発明の第５の態様であるインターホン装置は、操作トリガとして、不在ボタン等の外出時に操作するボタンを備えたことを特徴とする。
【００１１】
また、本発明の第６の態様であるインターホン装置は、操作トリガとして、再生ボタン等の帰宅時に操作するボタンを備えたことを特徴とする。
【００１２】
また、本発明の第７の態様であるインターホン装置は、操作トリガとして、解錠ボタン等の電気錠の解錠に操作するボタンを備えるとともに、玄関子機には、居室親機からの音声を再生するとともに操作音声メッセージを再生する子機スピーカを備えたことを特徴とする。
【発明の効果】
【００１３】
請求項１の発明によれば、居室親機で、サーバから取得したインターホンの操作音声メッセージを使用可能となり、操作音声のバリエーションが増加する。
【００１４】
請求項２の発明によれば、居室親機で、再生する操作音声メッセージを、男声あるいは女声のいずれかの中でランダムに選択、あるいは固定音声を選択することができ、居住者の嗜好に沿った内容で操作音声の選択が可能となる。
【００１５】
請求項３の発明によれば、インターホンの操作音声メッセージを、定期的にサーバから居室親機へ配信することが可能となり、操作音声のバリエーションをさらに追加することが可能となる。
【００１６】
請求項４の発明によれば、居室親機で、インターホンの操作音声メッセージを、必要な時のみサーバから取得して再生することが可能となり、居室親機のメモリを小型化することができる。
【００１７】
請求項５の発明によれば、居室親機で、インターホンの操作音声メッセージを再生する操作トリガに、不在ボタン等の外出時に操作するボタンを使用することで、特別な追加操作をすることなく、外出時にメッセージを再生することが可能となる。
【００１８】
請求項６の発明によれば、居室親機で、インターホンの操作音声メッセージを再生する操作トリガに、再生ボタン等の帰宅時に操作するボタンを使用することで、特別な追加操作をすることなく、帰宅時にメッセージを再生することが可能である。
【００１９】
請求項７の発明によれば、玄関子機で、インターホンの操作音声メッセージを再生する操作トリガに、解錠ボタン等の来客の入場を許可する操作するボタンを使用することで、特別な追加操作をすることなく、来客にメッセージを再生することが可能である。
【図面の簡単な説明】
【００２０】
【図１】図１は本発明の実施例によるインターホン装置のブロック図である。
【図２】図１は本発明の実施例によるインターホン装置の操作音声メッセージ設定画面である。
【発明を実施するための形態】
【００２１】
以下、本発明のインターホン装置を適用した最良の実施の形態例について、図面を参照して説明する。
【００２２】
図１は、本発明のインターホン装置の構成を示すブロック図である。
【００２３】
図２は、本発明の実施例によるインターホン装置の操作音声メッセージ設定画面である。
【００２４】
本発明のインターホン装置は、玄関子機１と居室親機２、サーバ３から構成され、玄関子機１は居室親機２に接続され、サーバ３はインターネット等の汎用ネットワーク４を介して居室親機２に接続されている。
【００２５】
図１において、玄関子機１は、来訪者が居住者を呼び出すための子機操作部１０、来訪者が居住者と通話するための子機マイク１１、子機スピーカ１２と、居室親機２と通信をおこなうための子機通信ＩＦ１３と、玄関子機１の各回路を制御するための子機ＣＰＵ１４とから構成されている。
【００２６】
居室親機２は、来訪者からの呼出に応答するため、あるいは居室親機２の各種設定を変更し、さらには図示しない居室親機の防犯機能の切替のために不在モードと在室モードを切り替えるための親機操作部２０と、玄関子機１の子機マイク１１、子機スピーカ１２と通話するための親機マイク２１、親機スピーカ２２と、玄関子機１と通信するための親機通信ＩＦ２３と、居室親機２の各回路を制御するための親機ＣＰＵ２４と、玄関子機１の子機操作部１０または居室親機２の親機操作部２０で操作がされた場合に流す操作音声メッセージが保存されたメモリ２５とから構成されている。
【００２７】
サーバ３は、居室親機２と通信するためのサーバ通信ＩＦ３０と、サーバの各回路を制御するためのサーバＣＰＵ３１と、玄関子機１の子機操作部１０または居室親機２の親機操作部２０で操作がされた場合に流す操作音声メッセージが保存されたデータベース３２とから構成されている。
【実施例１】
【００２８】
このように構成されたインターホン装置について、以下、動作を説明する。
【００２９】
第１の実施例として、メモリ２５に全ての操作音声メッセージを保存している場合について説明する。
【００３０】
サーバ３では、データベース３２の操作音声メッセージが、サーバ３の管理者によって適宜追加更新されている。この操作音声メッセージには、外出、帰宅、解錠等のメッセージ使用目的の他に、男声、女声の音声の性別も識別情報として付与されている。サーバＣＰＵ３１は、サーバ３上で更新される操作音声メッセージを、識別情報とともに定期的にサーバ通信ＩＦ３０、汎用ネットワーク４を介して居室親機２へ配信する。
【００３１】
居室親機２の親機ＣＰＵ２４は、親機通信ＩＦ２３を介して配信された操作音声メッセージと識別情報を受信し、可変操作音声メッセージと識別情報が書かれているメモリ２５に上書きする。
【００３２】
居室親機２の親機操作部２０のメッセージ選択部２０３では、図２に示すように、操作音声メッセージ再生トリガと、それに関連した再生操作音声メッセージを選択することができる。操作音声メッセージ再生トリガには、来客時に行われる玄関子機呼出、外出時に行われる不在ボタン操作、帰宅時に行われる再生ボタン操作、在宅時に行われる解錠ボタン操作を例として挙げている。再生操作音声メッセージには、各操作音声メッセージ再生トリガに対して、固定操作音声メッセージと可変操作音声メッセージが選択可能である。固定操作音声メッセージは、予め居室親機に備えられている操作音声メッセージで、可変操作音声メッセージは、サーバから配信される操作音声メッセージである。可変操作音声メッセージは、男声と女声が選択可能となっている。
【００３３】
次に、外出時あるいは帰宅時の音声メッセージの鳴動について説明する。
【００３４】
居室親機２の親機操作部２０には、居室親機２に接続された図示しない防犯センサを能動とする、あるいは、玄関子機１の図示しないカメラからの撮像映像を不在時に録画するための不在ボタン２０１を有している。
【００３５】
居住者が外出する際には、不在ボタン２０１を操作すると、親機ＣＰＵ２４は、操作トリガとして不在ボタン２０１の操作を検出し、防犯センサを能動とする、あるいは、撮像映像の録画機能を有効とするとともに、再生操作音声メッセージの選択内容を確認する。音声メッセージの選択内容が固定操作音声メッセージであった場合には、メモリ２５から不在ボタン操作時に設定された固定音声を読み出して再生する。音声メッセージの選択内容が可変操作音声メッセージであった場合には、メモリ２５に保存された操作音声メッセージのうち、使用目的が「外出」に設定され、かつ選択された男声と女声何れかの操作音声メッセージの中から、ランダムに１つのメッセージを読み出して再生する。例えば、設定内容が「ランダム、女声」の場合であれば、「行ってらっしゃいませ」や「お気をつけて」のように毎回異なるメッセージを親機スピーカ２２に送出することができる。
【００３６】
居室親機２の親機操作部２０には、不在ボタン２０１と同様に、居室親機２に接続された図示しない防犯センサを不能動とする、あるいは、玄関子機１の図示しないカメラからの撮像映像の録画を停止するための在室ボタン２０２を有している。
【００３７】
居住者が帰宅した際には、在室ボタン２０２を操作すると、親機ＣＰＵ２４は、操作トリガとして在室ボタン２０２の操作を検出し、防犯センサを不能動とする、あるいは、撮像映像の録画機能を無効とするとともに、再生操作音声メッセージの選択内容を確認する。音声メッセージの選択内容が固定操作音声メッセージであった場合には、メモリ２５から在室ボタン操作時に設定された固定音声を読み出して再生する。音声メッセージの選択内容が可変操作音声メッセージであった場合には、メモリ２５に保存された操作音声メッセージのうち、使用目的が「帰宅」に設定され、かつ選択された男声と女声何れかの操作音声メッセージの中から、ランダムに１つのメッセージを読み出して再生する。例えば、設定内容が「ランダム、女声」の場合であれば、「お帰りなさいませ」や「ご無事で何よりです」のように毎回異なるメッセージを親機スピーカ２２に送出することができる。
【実施例２】
【００３８】
次に、第２の実施例として、メモリ２５には一部の操作音声メッセージを保存し、必要に応じてサーバ３から操作音声メッセージを取得する場合について説明する。
【００３９】
サーバ３では、データベース３２の操作音声メッセージが、サーバ３の管理者によって適宜追加更新されており、この操作音声メッセージには、外出、帰宅等のメッセージ使用目的の他に、男声、女声の音声の性別も識別情報として付与されている点については第１の実施例と同様である。サーバＣＰＵ３１は、サーバ３上で更新される操作音声メッセージをデータベース３２に保管する。
【００４０】
居住者が外出する際には、不在ボタン２０１を操作すると、親機ＣＰＵ２４は、操作トリガとして不在ボタン２０１の操作を検出し、防犯センサを能動とする、あるいは、撮像映像の録画機能を有効とするとともに、再生操作音声メッセージの選択内容を確認する。音声メッセージの選択内容が固定操作音声メッセージであった場合には、メモリ２５から不在ボタン操作時に設定された固定音声を読み出して再生する。音声メッセージの選択内容が可変操作音声メッセージであった場合には、サーバ３に対して、例えば、設定内容が「ランダム、女声」の場合であれば、使用目的が「外出」かつ識別情報が「女声」のデータを要求信号として親機通信ＩＦ２３、汎用ネットワーク４を介して送信する。
【００４１】
サーバ通信ＩＦ３０を介して居室親機２からの要求信号を受信したサーバ３のサーバＣＰＵ３１は、データベース３２に不在ボタン操作時に設定されて保存された操作音声メッセージのうち、選択された女声の操作音声メッセージの中から、ランダムに１つのメッセージを読み出して、サーバ通信ＩＦ３０、汎用ネットワーク４を介して居室親機２に送信する。親機通信ＩＦ２３を介してサーバ３からのメッセージを受信した居室親機２の親機ＣＰＵ２４は、「行ってらっしゃいませ」や「お気をつけて」のように毎回異なるメッセージを親機スピーカ２２に送出することができる。
【００４２】
帰宅時についても同様の動作となるため、説明は省略する。
【実施例３】
【００４３】
次に、第３の実施例として、第１または第２の実施例のシステムにおいて、居住者が解錠操作を行なった場合の動作について説明する。
【００４４】
来訪者が玄関子機１の子機操作部１０を操作して居室親機２を呼び出し、居住者が居室親機２の親機操作部２０を操作することにより双方向通話が開始されると、玄関子機１の子機マイク１１、子機スピーカ１２と、居室親機２の親機マイク２１、親機スピーカ２２との間で子機ＣＰＵ１４、子機通信ＩＦ１３、親機通信ＩＦ２３、親機ＣＰＵ２４を介して通話路が確立する。この状態で、居住者が図示しない電気錠を解錠するために親機操作部２０を操作すると、親機ＣＰＵ２４は、操作トリガとして親機操作部２０の解錠操作を検出し、再生操作音声メッセージの選択内容を確認する。これにより、親機ＣＰＵ２４は、操作音声メッセージ設定内容の使用目的が「帰宅」である操作音声メッセージか、あるいは解錠ボタン操作時に設定された固定音声の操作音声メッセージを読み出す。メッセージの読み出し方法は第１または第２の実施例と同様である。
【００４５】
操作音声メッセージを読み出した親機ＣＰＵ２４は、図示しない電気錠を解錠する信号を送出するとともに、親機通信ＩＦ２３、子機通信ＩＦ１３、子機ＣＰＵ１４を介して「ようこそいらっしゃいました」「どうぞお入りになってください」のように毎回異なるメッセージを子機スピーカ１２に送出することができる。
【産業上の利用可能性】
【００４６】
なお、上記実施例では、戸建インターホンシステムを一例として説明しているが、集合住宅インターホンシステムで、玄関子機が集合玄関に設置されている場合であっても同様に実施可能である。
【符号の説明】
【００４７】
１  玄関子機
１２  子機スピーカ
２  居室親機
２０  親機操作部
２０３  メッセージ選択部
２２  親機スピーカ
２３  親機通信ＩＦ
２５  メモリ
３  サーバ
３０  サーバ通信ＩＦ
３１  サーバＣＰＵ
３２  データベース
【図１】
2013179460.tif 000003
【図２】
2013179460.tif 000004